(57)【要約】      （修正有）【課題】瞬発的筋力と同様に筋質量を増す腕又は脚から胴体への筋肉への負荷を劇的に増加させる運動に対応するジャイロエクササイズ装置を提供する。【解決手段】使用者に負荷を提供するように、回転軸にあわせて回転するロータの歳差運動を起こす円錐状起動に沿ってハンドルを保持し回転させる。装置にはロータの軸の端を保持する軸円盤がある。軸円盤の外周とロータ軸の端は、ハウジング内の環状案内溝の中にある。軸円盤に接続されたモータには、ハンドルの一つの中に含まれたバッテリからの一時的電源供給により回転軸にあわせてロータを回転させる車輪がある。電源供給は、装置の歳差運動を起動する間にモータとロータと共に歳差軸に合わせて回転するコンダクタ部を通過する。ジャイロ総合エクササイズ装置の単独ハンドプルスタータは、エクササイズ装置のスタート補助に純粋な手動操作を好む使用者のためにモータと駆動回路全体を交換する事が出来る。【選択図】図１
2008237897.tif 000002
【特許請求の範囲】
【請求項１】
ジャイロエクササイズ装置であって、その構成は：
使用者の上部或いは下部四肢により保持される１対の反対のハンドル、両ハンドルには、ジャイロをスタートさせる手動プルスタータに対応して互いに通じる内部空洞があり；
ハンドルの間のジャイロ運動ユニットには、先端が平面に切り取られた形状の歳差運動ロータと反対方向に突出した内部軸がある埋め込み球体がありハンドルの中心へ伸びた歳差運動軸に合わせて回転するのと同じくハンドルに対して垂直に伸びた回転軸に合わせた回転を起こすように保持、前記回転軸の縦中心と交差する前記歳差運動軸に合わせた反対の末端部で前記回転軸を可回転保持するための断面が通常はU字形状の円周案内溝軌道、ロータの軸を受ける内部開口部を持つ軸円盤と軸と共回転するための案内溝軌道内で受けられる円周縁、ロータにはその周辺表面から円周状に延び内部軸に届く前に終わる深中間溝があり、グリップスリーブは中間溝の深さを決定し、前記中間溝はジャイロ運動ユニットの高速歳差運動を起こす手動プルスタータの一部を最低でも積極的に連動する表面が提供されており；
環状フレームアッセンブリには環状縁のある前記外部リング部と外部リング部の縁を受ける小さい内部リング部がありそこに固定され、両リング部にはジャイロ運動ユニットの案内溝軌道の上下半分づつを協力的に保持するための反対環状埋め込みがあり；
使用者や他の外部物体による物的接触から前記ジャイロ運動ユニットを保護するが外側からユニットのジャイロ運動を見る事は可能な球体ハウジング；そして、前記内部と外部のリング部から２つの正反対の位置でフレームアッセンブリにハンドルを固定する１対のトラス部を含む、ジャイロエクササイズ装置。
【請求項２】
前記内部・外部リング部がさらにエクササイズ装置の空転重量を減少するために正反対に位置した複数円周くぼみを持つ、請求項１記載のジャイロエクササイズ装置。
【請求項３】
前記各内部・外部リング部がさらにエクササイズ装置の静かでスムースな使用を提供するために前記ジャイロ運動ユニット内部に注油するための案内溝軌道と連絡する一つ以上の注油口を有する請求項１記載のジャイロエクササイズ装置。
【請求項４】
前記手動プルスタータはプルスタートの前の装填操作間にエクササイズ装置の多様内部表面に沿って滑るスリップ先端付プル線を包含し、スリップ先端の反対の端にある前記スタータハンドルにはハンドルを通した指穴があり、２サイドのフックを、前記プル線を引く指の補助を容易にする位置にし、前記ジャイロエクササイズ装置のハンドルの中へ前記スタータハンドルが入るのを制限する固体ストップが指穴の下にあり、前記ハンドルの上で前記スタータハンドルの便利な高さを維持する、請求項１記載のジャイロエクササイズ装置。
【請求項５】
前記プル線は牽引部分の末端と前記スタータハンドルに牽引部分を接続する非牽引部分とに分断され、いかなる上方ハンドル内の空洞を通過するに充分な弾力性を持ち、ハンドル空洞に整列されたトラス部の最初の部分での穴を通過し、中間溝の中央に位置したロータの前記グリップスリーブと通過穴を軸方向にブロックするが前記プル線を迂回するルートに延ばし、出口側ハンドルの頂点へ向かって球体ハウジングの内部表面を集中する、第一トラス部の通過穴と直接揃った反対通過穴、下方ハンドルの管状空間、そのため前記ロータの前記グリップスリーブに対して前記プル線の牽引部分の強制された迂回により前記ジャイロエクササイズ装置の必要歳差運動開始の結果となる前期ロータの回転に影響がある二つの部品の間に自動グリップ力を生み出す、請求項４記載のジャイロエクササイズ装置。
【請求項６】
前記エクササイズ装置の前記ハンドルはフォームか類似した柔軟素材の便利な形状のグリップと頑丈な素材のフレーム管を包含する、請求項１記載のジャイロエクササイズ装置。
【請求項７】
前記グリップスリーブの積極的連動表面に歯の円がある、請求項１記載のジャイロエクササイズ装置。
【請求項８】
前記プル線は指向性歯列を含む曲線表面のプラスティック皮膜と鋼鉄ワイヤ芯の混成である、請求項４記載のジャイロエクササイズ装置。
【請求項９】
前記鋼鉄ワイヤ芯は編ワイヤである、請求項８記載のジャイロエクササイズ装置。
【請求項１０】
前記鋼鉄ワイヤ芯は金属ロッドの単体伸長である、請求項８記載のジャイロエクササイズ装置。
【請求項１１】
前記手動プルスタータは高耐久性の鋳造プラスティックで出来ている、請求項１記載のジャイロエクササイズ装置。
【請求項１２】
前記手動プルスタータはプルスタートの前の装填操作間に前記エクササイズ装置の多様内部表面に沿って滑るスリップ先端付プル線を包含し、スリップ先端の反対の端にある前記スタータハンドルにはハンドルを通した指穴があり、２サイドのフックを、前記プル線を引く指の補助を容易にする位置にし、前記ジャイロエクササイズ装置の各反対でのハンドルの内部ハンドル先端に付けられた内向ネジ山に合致するようにネジ山が切られた固体ストップ、そのため前記プルスタータは直にどちらかの装置ハンドルから前記エクササイズ装置に収納され、使用者が最初に前記プルスタータを解除して、前記スタータハンドルを保持してプルスタートの動作を起こすまでは固定ハンガーか開口部上に前記エクササイズ装置を保持するようねじ込まれている、請求項１記載のジャイロエクササイズ装置。
【請求項１３】
前記エクササイズ装置の球体ハウジングの中へ事故でスタータを引き込む事を防ぐように指向歯により前記グリップスリーブがあるラチェット係合を前記プル線がなす間に使用者が意図的に前記ロータを回転させない限り前記プル線のジャイロ運動ユニットとの空転接触維持を制限するために前記プル線の非牽引部分は装置の上方側ハンドルの末端と前記グリップスリーブの間の距離より僅かに長く伸長する、請求項５記載のジャイロエクササイズ装置。
【請求項１４】
さらに一方で可変ブラケットを通して軸円盤に静止固定された環状永久磁石と装置使用中にジャイロ運動内の照射のための発電のための磁石に閉隣接の中で前記ロータの軸と共回転するように設置された多数のコイルと照射のエレメントを包含する、請求項１記載のジャイロエクササイズ装置。
【請求項１５】
さらに、その両側を冷却するように前記ロータの円状軌道に合わせた多数の貫通孔を包含する、請求項１記載のジャイロエクササイズ装置。
【請求項１６】
さらに、高速でのスムースな歳差運動のために前記ロータ重量のバランスを取るための多数のドリル加工を包含する、請求項１記載のジャイロエクササイズ装置。
【請求項１７】
歳差運動ロータの内部軸には案内溝軌道ないの摩擦接触を減少させるための半球体端がある減少した直径の反対先端がある、請求項１記載のジャイロエクササイズ装置。
【請求項１８】
歳差運動ロータの内部軸には０．７ｍｍを最適とする０．５〜１ｍｍの半径内の丸反対先端がある、請求項１４記載のジャイロエクササイズ装置。
【請求項１９】
さらに、前記ロータの前記グリップスリーブと共にプル係合へ入る近距離から前記手動プルスタータを導く前記ジャイロ運動ユニットの内部と直接連絡するための前記トラス部に接続したその末端近くの前記ハンドルの側面に形成された斜めの孔を包含する、請求項１記載のジャイロエクササイズ装置。
【請求項２０】
ジャイロエクササイズ装置であって：
使用者の上部或いは下部四肢により保持される１対の反対のハンドル、両ハンドルにはジャイロ運動を始める手動プルスタータを収容するお互いに連絡した内部空洞があり；
前記ハンドルの間のジャイロ運動ユニットには、先端が平面に切り取られた形状の歳差運動ロータと反対方向に突出した内部軸がある埋め込み球体がありハンドルの中心へ伸びた歳差運動軸に合わせて回転するのと同じく前記ハンドルに対して垂直に伸びた回転軸に合わせた回転を起こすように保持、前記回転軸の縦中心と交差する前記歳差運動軸に合わせた反対の末端部で前記回転軸を可回転保持するための断面が通常はU字形状の円周案内溝軌道、ロータの軸を受ける内部開口部を持つ軸円盤と前記軸と共回転するための案内溝軌道内で受けられる円周縁、前記ロータにはその周辺表面から円周状に延び内部軸に届く前に終わる深中間溝があり、グリップスリーブは中間溝の深さを決定し、前記中間溝は前記ジャイロ運動ユニットの高速歳差運動を起こす前記手動プルスタータの一部を最低でも積極的に連動する一時的固定表面が提供されており；
環状フレームアッセンブリには環状縁のある外部リング部と前記外部リング部の縁を受ける小さい内部リング部がありそこに固定され、両リング部には前記ジャイロ運動ユニットの案内溝軌道の上下半分づつを協力的に保持するための反対環状埋め込みがあり；
前記環状フレームアッセンブリには環状縁のある前記外部リング部と前記外部リング部の縁を受ける小さい内部リング部がありそこに固定され、両リング部には前記ジャイロ運動ユニットの案内溝軌道の上下半分づつを協力的に保持するための反対環状埋め込みがあり；
使用者や他の外部物体による物的接触から前記ジャイロ運動ユニットを保護するが外側からユニットのジャイロ運動を見る事は可能な球体ハウジング；そして、内部と外部のリング部から２つの正反対の位置でフレームアッセンブリに前記ハンドルを固定する１対のトラス部を包含する、ジャイロエクササイズ装置。
【請求項２１】
さらなる前記各内部と外部のリング部に前記エクササイズ装置の空転重量を減少するために正反対に位置した複数の円周くぼみがある、請求項２０記載のジャイロエクササイズ装置。
【請求項２２】
さらに前記内部リング部は静かでスムースな前記エクササイズ装置の使用を提供するために前記ジャイロ運動ユニットの内部に注油するために案内溝軌道と連絡した一つかそれ以上の注油口がある、請求項２０記載のジャイロエクササイズ装置。
【請求項２３】
前記手動プルスタータは前記ロータの前記グリップスリーブに巻付くように適合されたプルストリングを包含し、前記グリップスリーブに前記プルストリングには前記ロータとストリングの間で一時的保持を確立するストリング端を受ける最低一つのスロットがある時に前記プルストリングには補強端がある、請求項２０記載のジャイロエクササイズ装置。
【請求項２４】
前記手動プルスタータは前記ロータの前記グリップスリーブに巻付くように適合された前記プルストリングを包含し、前記グリップスリーブに前記プルストリングには前記ロータと前記ストリングの間で一時的保持を確立するストリング端をひきつけるように帯磁されている時に前記プルストリングには金属端がある、請求項２０記載のジャイロエクササイズ装置。
【請求項２５】
前記手動プルスタータは前記ロータの前記グリップスリーブに巻付くように適合された前記プルストリングを包含し、前記ロータと前記ストリングの間に一時的保持を確立するストリング端を引き付ける合致したループかフック部が前記グリップスリーブに重ねられている時に前記プルストリングにはフックとループ式止め具のフックかループ部がある端がある、請求項２０記載のジャイロエクササイズ装置。
【請求項２６】
前記エクササイズ装置の前記ハンドルはフォームか類似した柔軟素材による便利な形状のグリップと頑丈な素材のフレーム管を包含する、請求項２０記載のジャイロエクササイズ装置。
【請求項２７】
前記グリップスリーブの積極的連動表面には円になった歯がある、請求項２０記載のジャイロエクササイズ装置。
【請求項２８】
前記ストリングは編まれた糸である、請求項２３記載のジャイロエクササイズ装置。
【請求項２９】
前記ストリングはより糸である、請求項２３記載のジャイロエクササイズ装置。
【請求項３０】
さらに近距離から前記ロータの前記グリップスリーブとプル連動内へ前記手動プルスタータを導くために前記ジャイロ運動ユニット内と直接に連絡する前記トラス部に接続されたその近接端近くのハンドル内側面に形成された斜孔を包含する、請求項２０記載のジャイロエクササイズ装置。
【請求項３１】
さらに一方で可変ブラケットを通して軸円盤に静止固定された環状永久磁石と装置使用中にジャイロ運動内の照射のための発電のための磁石に閉隣接の中で前記ロータの軸と共回転するように設置された多数のコイルと照射のエレメントを包含する、請求項２０記載のジャイロエクササイズ装置。
【請求項３２】
さらに、前記ロータの両側を冷却するよう前記ロータの環状軌道に合わせた多数の通過穴を包含する、請求項２０記載のジャイロエクササイズ装置。
【請求項３３】
さらに、高速でのスムースな歳差運動のために前記ロータの重量バランスを取るための多数のドリル加工減少を包含する、請求項２０記載のジャイロエクササイズ装置。
【請求項３４】
前記歳差運動ロータの内部軸には前記案内溝軌道内の摩擦接触を減少させるために半球体端がある減少された直径の反対端がある、請求項２０記載のジャイロエクササイズ装置。
【請求項３５】
前記歳差運動ロータの内部軸には０．７ｍｍが最適とされる０．５〜１ｍｍの半径内の丸反対先端がある、請求項３１記載のジャイロエクササイズ装置。
【発明の詳細な説明】
【技術分野】
【０００１】
本発明は、一般的にエクササイズ装置に関連し、特に、必要とされる歳差速度を得るために高性能電気モータ駆動スタート装置或いは簡素な手で引っ張る式スタート装置の両方に適するよう構築された全身エクササイズのためのジャイロ装置である。
【背景技術】
【０００２】
ジャイロエクササイズ装置は、現実的な生活環境の中での男性と女性に役立つダイナミックな身体エクササイズを提供するという希望のなかで知られ、開発されてきた。消防士は、多くの競技者と同じように、筋力を限界まで行使しなければならない時がある。日常生活の中で人々は買い物袋を持ち上げるような軽度の雑用から、除雪のような強度なものまであらゆる作業で筋肉を使用する。ジャイロエクササイズ装置は、筋肉を孤立させジムの外では有用性を提供しない多くの通常のウエイトリフティング技術及び装置を認識したうえで開発された。しかしながら、従来のジャイロエクササイズ装置もまた、全身ではなく、手とその近位筋領域への使用に制限されていた。装置は、人体中で選択された筋肉の発達、強化の補助にジャイロの力の使用を試みたものである。高速回転質量によるジャイロ効果あるいは歳差運動は、使用者が回転軸の回転方向へ質量を動かそうと試みた場合に強いトルクを生み出す事が可能である。
【０００３】
ハーボルドのアメリカ合衆国特許番号３，６１７，０５６は、エクササイズ動作の効果を増進するために２枚の回転重量円盤により生成された歳差力を利用したダンベルのものである。しかしながら、この装置は、基本的に使用者の手と腕のエクササイズに使用される。
【０００４】
駆動歳差ジャイロ手首エクササイズ装置は、アーチ・Ｌ・ミシュラにより最初に発明され、１９７３年４月１０日に特許を受けた。アメリカ合衆国特許番号３，７２６，１４６。ジャイロ手首エクササイズ装置の構造に詳しくない人にとって、このミシュラの参考要約は運動物理学の優れた入門書となるであろう。ジェロルド・Ｗ・シルケバッケンが、１９７９年４月２４日のアメリカ合衆国特許番号４，１５０，５８０の特許により、案内溝内に区分されたリングを加える事により歳差運動安定性をさらに向上させた。
【０００５】
アメリカ合衆国特許番号４，７０３，９２８は質量を回転させるモータのロータを形作る回転質量を内臓したハウジングを活用するジャイロエクササイズ装置に与えられた。この質量の回転軸はハウジングの上部・下部の表面に対して垂直である。２本の相互に直角な軸の回転のために取付けられた踏み板は、アイソメトリックエクササイズ効果を生み出す、回転質量のジャイロ効果により足の回転動作に対向するように取り付けられている。この装置はあらゆる身体の四肢や胴体に使用する事が出来るが、身体の幾つかの筋群は同時にエクササイズが出来ない。
【０００６】
アメリカ合衆国特許番号４，１５０，５８０と５，３５３，６５５により開示された２つのエクササイズ装置は、手の握力強化に使用される市販の「ジャイロエクササイズ装置」に類似している。これらのエクササイズ装置は手と手首の動作に関連しているため、通常は、空洞の小さなロータに入ったジャイロ円盤と内部円形案内溝による保持手段によりコンパクトな歳差現象を生み出し、これらを使用者の手の平に会うサイズと重さに収めた丸い握り型表面外部の構造になっている。エッシャのアメリカ合衆国特許番号４，７０３，９２８では、身体の複数可動部分でも同じに適用する可能性のある類似した制約のある手のエクササイズ装置を開示している。しかし、カスタム化のための付属物は圧倒的であり、携帯式を維持するどころか、それら全てを一緒にするには多大なスペースが必要になるであろう。
【０００７】
これらの努力の全ては、使用者の身体の異なる筋肉（例：背筋、三角筋、大胸筋、二頭筋、三頭筋）の能力と四肢の運動を向上させるために実際的に使用が可能なジャイロエクササイズ装置を提供するには及ばなかった。そのような装置は、使用者に力強い負荷と心臓血管運動が得られるような、多様な大きな筋群での同時の運動を可能にするものである。
【０００８】
付け加えて、改良ジャイロエクササイズ装置には、歳差状態のために開始ロータスピード達成のスタート手段と、製品寿命延長のための定期的な注油とバッテリ交換以外に技術的メンテナンスを僅かに必要とするか全く必要としない高速回転部品の動作を補助する信頼出来る構造が必要である。
【０００９】
そして、提示された発明者は、２００３年１０月２４日に特許申請した申請番号１０／６９３，３３８と２００５年５月１２日のアメリカ合衆国特許広報、番号２００５／０１０１４５４にて身体サイズのジャイロエクササイズ装置の急進的な設計を開示した。提示されている発明は、先に開示された実施例の改良であり、多くの面で実質的調整した総合ジャイロエクササイズ装置を提供する。
【００１０】
提示された発明の目的は、瞬発的筋力と同様に筋質量を増す腕又は脚から胴体への筋肉への負荷を劇的に増加させる運動に対応する、エクササイズ装置のジャイロを起動させる腕か脚の快適なペダル動作に、歳差運動の開始ロータスピードを達成する手段を持つジャイロエクササイズ装置の提供である。
【００１１】
提示された発明の他の目的は、違う使用者グループにとっても容易であるように、違うニーズによった電気モータ或いは手動の可換動力源を使用した歳差動作を初期化するスタート手段のあるジャイロ総合エクササイズ装置を提供する事である。
【００１２】
提示された発明でのもう一つの実施形態は、製品寿命の延長にほんの僅かな定期注油メンテナンスしか必要とせず、製造が容易な改良手持ち式ジャイロエクササイズ装置を提供する事である。
【発明の開示】
【００１３】
ジャイロエクササイズ装置には、ハウジングに取付けられた１対のハンドルがある。１つのハンドルにはジャイロ動作をスタートさせる電源サプライが付いている。使用者は、使用者に負荷を提供するために回転軸に合わせて回転するロータの歳差状態による円錐状の軌道に合わせて、ハンドルを保持し回転させる。
【００１４】
ハウジングの中には、反対方向へ突き出た内部軸が付いた先端を平面に切り取った形状で埋め込まれた球体とハンドルの中心へ向かって伸びた歳差軸の軌道と同様にハンドルに対して垂直に伸びた回転軸に合った回転を起こすために保持された歳差ロータを持つジャイロ動作ユニットがある。回転軸の縦の中心で交差する歳差軸に合わせた回転軸の反対の端を回転可能に保持するための通常はＵ字型の断面である環状案内溝軌道。軸円盤には、ロータの軸を受ける内部開口部と軸との共回転のために案内溝軌道内で受けた円周縁がある。枢動可能な駆動モータは、歳差軸に合わせて一緒に回転するロータの回転を始めるためにロータに軸方向に埋め込まれた円形軌道と連動させるために軸円盤に、取付けられ、そして歳差動作に影響を与える。そして、スイッチ付固定電力サプライから電気を受取るモータの動的電気接続。
【００１５】
リング型フレームアッセンブリは、ハウジングを囲み、環状輪縁がある外部リング構成部と外部リングの輪縁で受けられ固定された小さめの内部リング部があり、どちらのリング部にも、ジャイロ動作ユニットの案内溝軌道の上部と下部の両半分を協調的に保持する反対の環状の埋め込みがある。そして一対のトラス部が、内部と外部のリング部から２つの正反対の位置で、フレームアセンブリとハンドルを固定する。さらに内部と外部の各リング部には、エクササイズ装置の未使用時重量を減少させるために、複数円周状湾入部が正反対に位置している。そこの一つかそれ以上の湾入部の中では、エクササイズ装置の静かでスムースな使用を提供するために、ジャイロ動作ユニットの内部に注油するために案内溝軌道と連通した注油口を形成する事もある。
【００１６】
動的電気接続は、比較的に固定したハンドル、電源サプライコンジット、通常では電源サプライコンジットとは接続していない電池のバイアス手段、そして歳差軸と同方向に回転するジャイロ動作ユニットの軸円盤上に取付けられた他より一つ上の二独立接続のコンダクタ部を構成する。電源サプライコンジットは、コンダクタ部の最上部に接続がある外部の接続管状導電部分と、内部の管状絶縁体と、絶縁体に挿入されコンダクタ部の底部にある接続とバッテリの対極端子の一つに突出部の上部と下部で接続したピン状中央コンダクタを構成する。バイアス部は、中央コンダクタの先端突出部への接点からバッテリを機械的に押し離すハンドルの内の隣接スプリングと、装置の歳差を開始する間使用者の指で押して動的電源サプライを確立するためのハンドル端の内部末端にあるスプリング式スイッチを含む。
【００１７】
ハンドルは、便利な形状にしてあるフォーム或いは類似した柔軟素材のグリップと、外部グリップにより絶縁され電源サプライバッテリのターミナルからの電気伝導を維持するために通電する金属製フレーム管を含む。ハンドルは、スプリング式スイッチ、フレーム管、隣接スプリング、電源供給コンジットの一部である外部管通電部分、モータの両ターミナルへの回転コンダクタ部接点の底部のものを通して隣接バッテリターミナルから出て回転接点の上部のものと逆のバッテリターミナルへの中央コンダクタに戻る電源供給は隣接スイッチが押されて確立されている場合を除いて、バッテリが隣接スプリングにより通常は回路を成す事は停止されている間、少なくとも隣接スプリングと末端スプリング式スイッチと電気接続するには充分に内部的に導電である。
【００１８】
提示された特許の非電気的実施例として、ジャイロエクササイズ装置は、両ハンドルにはジャイロをスタートさせる主導プルスタータを収容する相互に伝達する内部空洞を持つ、使用者の上部或いは下部四肢により保持される逆方向の１対のハンドル、反対方向へ突き出た内部軸が付いた先端を平面に切り取った形状で埋め込まれた球体とハンドルの中心へ向かって伸びた歳差軸の軌道と同様にハンドルに対して垂直に伸びた回転軸に合った回転を起こすために保持された歳差ロータを持つジャイロ動作ユニットがある。回転軸の縦の中心で交差する歳差軸に合わせた回転軸の反対の端を回転可能に保持するための通常はＵ字型の断面である環状案内溝軌道。軸円盤には、ロータの軸を受ける内部開口部と軸との共回転のために案内溝軌道内で受けた円周縁がある。ロータは、周辺部表面から円周状に延長する深い中部の溝を持ち内部軸のショートを無くし、中部溝の深さを規定するグリップスリーブはジャイロ動作ユニットの高速歳差状態を開始するための手動プルスタータ部が積極的に機能するように鋸歯状表面が提供されている。リング状フレームアッセンブリは、環状輪縁のある外部リング部と外部リング部の輪縁に受止められる小さい内部リング部を持ち、そこへ固定される。両リング部は、ジャイロ動作ユニットの案内溝軌道の上下半分づつを協調的に保持する反対環状埋め込み部を持つ。外側からユニットのジャイロ動作を見る事は出来るが、使用者或いはその他の外部物によるあらゆる物的接触からジャイロ動作ユニットを保護する球状ハウジング。内部及び外部リング部から正反対の２つの位置でフレームアセンブリにハンドルを固定する１対のトラス部。
【００１９】
環状永久磁石は、一つの側で可調ブラケットを通して軸円盤に固定され、ジャイロ動作ユニット内部を照らすのと同様に後にモータを操作する電源供給バッテリ内に貯蔵するための電気を再発電する磁石に隣接したロータの軸と共回転するように取付けられたコイルエレメントからなる。固定磁石は、操作中にジャイロ動作ユニット内部を照らす電力を発電するロータの軸と共に回転可能に取付けられた多数のコイルと照射エレメントと密に協力する。
【００２０】
さらに、その両側を冷却する、ロータの環状軌道に沿って貫通した穴が多数ある。装置の製造時に、 高速でのスムースな歳差運動のためにロータの重量バランスを取るために多数のドリルによる削減を行う事もある。
【００２１】
発明の実施形態は、例を添付図面で参照する方法で説明される。
【発明を実施するための最良の形態】
【００２２】
図面配置の目的で、図１は、その使用時に想定される通常の水平位置ではなく斜めに提示された特許での最初の実施形態であるジャイロエクササイズ装置（１０）を示している。装置（１０）は、中央ジャイロ球体（１２）と歳差運動の軸と同心でエクササイズ装置の独自に動的で優雅なボディの動作に準じた共通軸Aに合わせて伸びた２つの反対のハンドル（１４）を含み、オートバイのハンドルバーと共通したところが幾つかある。一つ或いは両方のハンドル（１４）は、使用者が触れないように内部の構成部品を安全に孤立させ、しかし装置（１０）の動作状態をはっきりと見えるように透明或いは半透明のハウジングを含むジャイロ球体（１２）の起動開始のために内部にAAサイズバッテリ２つ（１６）がある。
【００２３】
ハウジング（１８）は、各々が２つのサスペンションアーチ（２２）を通してハンドル（１４）が取付けられた２つの同一半球体シェル（２０）に分割される。装置（１０）の通常使用での回転基準値に到達するにあたっての高荷重増加を考慮して、アーチ（２２）は、アルミニウムの固体金属ブロックで作られ、機械加工などが施されたような丸い外形と装置（１０）の空転重量をコントロールする複数の直通孔（２４）があるのが好ましいとされる。組み立てられた時、反対のアーチ（２２）は、徐々に使用者の上部或いは下部四肢により受けられ、コントロールされる装置の動的重量の大部分を負う。孔（２４）はまた、ハウジング（１８）からの摩擦熱放散を助けるために、作動中の装置（１０）の動的球体の近くの周りで空気を撹拌させる。
【００２４】
２つの横方向ハンドルが付いたアーチ（２２）の間に、サイドハンドル（１４）によりエクササイズ装置（１０）を保持する使用者の前で基本的に垂直に位置する大型リング状の設置フレーム（２６）を含むジャイロ球体（１２）がある。フレーム（２６）は、発明装置（１０）に適用されている既知歳差現象を提供する２つの同時回転軸がある中心ロータ（２８）のジャイロ動作の維持に適合している。ロータ（２８）は、反対の２頂点を取除いた固体球の中間部の形状へ金属で鋳造される。ロータ（２８）には、歳差運動のロータ（２８）の球面境界を僅かに超えた反対方向へ延びる軸（３２）を固定的に受ける中心スリーブ（３０）がある。軸（３２）は、 ジャイロ球体（１２）の中で自由回転するロータ（２８）に合わせた２軸の一つとなる。軸（３２）の両端からの同心回転先端（３２）は、軸（３２）の中心部分から急激にその直径を減少させて伸びている。先端（３４）は、そして、ロータ（２８）稼動中に先端（３４）を摺動自在に導くためにフレーム（２６）の中で生まれる案内溝軌道（３６）に対した高速相対動作が原因である最小可能摩擦へ影響する緩やかに直径を減少させた丸くスムースな末端（３５）を提供する。先端（３４）の半径は、ほぼ０．５〜１ｍｍか０．７ｍｍが好適である。
【００２５】
ロータ（２８）の低摩擦歳差運動を可能にするには、フレーム（２６）が構成する、（a）ハンドル（１４）の一つに向かって突出した環状フランジ（４０）がある外部リング（３８）、フランジ（４０）の内部から内側へ共通軸Aと台座（４１）を通した多数にネジ孔（４２）へ向かって伸びた環状台座（４１）、（b）外部リング（３８）の台座（４１）に設置され、さらにネジ孔（４２）の位置に対応してフレーム（２６）の周りに等距離でネジ山がつけられた多数の穴（４６）に固定された、内部リング部（４４）。
【００２６】
アーチ（２２）の一つは、また、ネジ孔（４７）が外部リング部（３８）のネジ孔（４２）と一直線に形成される間、内部リング部（４４）の各穴（４６）の真上のその各側部端大型穴（４５）を提供する。そのため、エクササイズ装置（１０）の強力な完全性を確立するために、適切なネジがアーチ（２２）とフレーム（２６）を貫通出来る。図２は、（３８）と（４４）両リング部とアーチ（２２）が穴（４５）内の１つ大型ネジ（４８）で固定されている事を示す。フレーム（２６）は、軽い空転重量と統一した外見のためにアーチ（２２）に使用したのと同じ金属で作られる。
【００２７】
案内溝軌道（３６）は、外部リング部（３８）の底壁の上に形作られた下部環状埋め込み（５０）内に圧入された幾つかの平行案内溝挿入物（４９）と内部リング部（４４）の反対の上部埋め込み（５２）それぞれから構成される。埋め込み（５０）と（５２）への確実な圧入のために、案内溝挿入物（４８）には、埋め込み上の角に対応してしっかりと中に横たえるようにL字型横断面がある。
【００２８】
ロータ（２８）自体には、軸（３２）の回転軸（５５）と同一平面上に伸び、環状フレーム（２６）の解放内部空間の大部分に渡るフレーム（２６）に縦である軸円盤（５４）を含む補助案内溝部を受けるための、その軸方向の反対側にあり環状埋め込みがある。図２を具体的に参照すると、軸円盤（５４）は、ロータ（２８）がその軸（３２）での歳差運動を空気力学的に安定させる空洞の飛行円盤に似た形状になっている。第二案内溝部は、小型電気モータ（５６）がハンドル（１４）の動的軸（A）に合わせて円盤（５４）と共回転するヒンジ部（５８）を通して完全に軸円盤（５４）に取付けられているが、同時にロータ（２８）を典型的なジャイロ構造のように動的軸（A）に垂直である軸（３２）に合ったいずれの方向での同じく直通の初期回転方向へ推進するように動作可能の状態にする。軸円盤（５４）上に形成された長方形ベイ（６０）は、枢動方式でモータ（５６）を受ける。モータ（５６）は、ロータ（２８）の内部埋め込み情に形成された環状案内溝（６４）がある、その弾力出力ロータ（６２）で継続的動作可能状態にある。張力の必要は無く、モータ（５８）はそれ自体の重量で案内溝（６４）に対向して進み、ヒンジ部（５８）に合わせて旋回し、エクササイズ装置の引継ぎのために要求歳差運動速度の確立と同じに回転する。
【００２９】
モータ（５８）は、以下に記されたように取付けられた永久磁石を最大幻に活用するモータ（２８）への小規模改良による使い捨て或いは充電式のバッテリ（１６）により供給される入力定格３ボルトの一般タイプである。
【００３０】
図入り実施形態の中で、電気モータ（５６）は、DCモータである。コンパクトモータ（５６）は、ロータ（２８）を稼動角速度で回転させるのに充分な出力を持っている。あるいは、モータ（５６）は、電源サプライ（１６）がAC電力源を受取るのに適切な電気接続により交換された場合では、ACモータである事も可能である。一つの実施形態で、モータ（５６）は、ロータ（２８）を回転させ、発電する事が可能である。モータ（５６）は、電源サプライ（１６）から電気を受取り、ロータ（２８）にモーメントを提供する。そして、軸円盤（５４）に可変ブラケット（６８）を通して静止固定されたコイン状の磁石（６６）とロータ（２８）内のスリーブ付設置ボード（７２）上に同心に設置された多数のコイルエレメント（７０）は、使用者に動かされたロータ（２８）から発電する事が出来る。そして、回転接続が、充電式バッテリの電源サプライ（１６）を再充電する。
【００３１】
これらの再発電電力部品の有無に関わらず、コイルエレメント（７０）は、エクササイズ装置（１０）の使用時に照射するよう対応したLEDエレメント（７４）に接続される。各コイルとLEDエレメントは、邪魔の無い使用を提供するために設置ボード（７２）内に穿孔を持つ。芸術に熟練した人間であれば、モータ（５６）は、標準的ブラシ無しモータか発電機にも見えるであろう。これら標準的モータの例は、磁石ロータと固定された巻き線或いは固定子を持つ事がある。
【００３２】
図２で部分的に示されている内部リング部（４４）もまた、バランスの方法でエクササイズ装置（１０）の総重量を減少させるために正反対に位置した複数の円周状圧入（７６）がある。エクササイズ装置（１０）の静かでスムースな使用を提供するために、一つ以上の圧入（７６）には、ジャイロ球体（１２）内の回転部に注油するために案内溝（３６）に対応した注油口（７８）がある。
【００３３】
図３は、軸的関与でのモータ（５６）とロータ軌道（６４）の位置関係と動的設定での電力輸送のための電気コンジットを正面から図解したものである。モータ（５６）を保持する軸円盤（５４）のベイ（６０）は、軸（３２）の周りに伸び、バッテリ（１６）に合わせてモータ（５６）を駆動し回転させる相対的に固定したバッテリ（１６）への電気的接続のために歳差運動軸（A）の合わせて中心化した１対のコンダクタ部（８４）のための垂直アーム（８２）があるオーバーパス（８０）に結合する。モータ（５６）には、そこに溶接されたヒンジ部（５８）の一部があり、ヒンジ部（５８）の単独シャフトに機械的に接続され、そして表示されていない柔軟誘導ワイヤ経由でコンダクタ部（８４）に電気的に接続されている。
【００３４】
軌道（６４）の外部は、ロータ（２８）の両側を冷却するために等間隔にロータ（２８）の壁を貫通した空気孔（６５）から構成される。空気孔（６５）の横の位置には、いかなる高速においてもスムースな歳差運動のためにロータ（２８）のバランスを取るために、ドリルによる減少（６７）がある事がある。
【００３５】
提示された特許の第二実施形態を示す図５にあるように、ヒンジ部（５８）は、導電金属から作られているがプラスティックシースの薄層あるいは皮膜（８８）により互いに絶縁された２つの多重接続（８６）からなるコンダクタ部（８４）に不可欠である。接続（８６）で最上部にあるものは、露出し、接続（８６）の最下部にあるものが固定しシース（８８）により最上部の接続から絶縁された場合に、開口部（９０）を提供する。接続（８６）の中間部分は、アーム（８２）にネジ止めされている。表示されていないが、金属ネジ（９２）をアーム（８２）を貫通する前に、最初に底部接続の狭い孔に、そして上部接続の拡大スロットに通す事により、接続（８６）間での意図的でないショートが避けられる。
【００３６】
コンダクタ部（８４）の下部先端は、共通軸に沿って伸びたピボットアーム（９２）にまとめられ、絶縁が維持される。同時に、１対の部分的にシースが付いた高ゲージ（太い）ワイヤ（９４）は、一方でモータ（５６）に個別接続に溶接され、ピボットアーム（９２）に通すようにヒンジピンの他方でまとめられる。枢動ワイヤのシース部分は、さらなる安全のためにモータ（５６）の底部へ接着させるのが望ましい。
【００３７】
さらに加えて、軸円盤（５４）は、モータ（５６）の能動負荷を支持する間ピボットアーム（９２）から先端が滑る可能性を防ぐためにいずれのワイヤ（９４）も曲げた位置にワイヤ（９４）を安定させるために、２つの反対の垂直壁（９６）を提供する。このようにして、外部から可視な見苦しい配線を無くす事により、エクササイズ装置（１０）は美的に改良された。同時に、エクササイズ装置（１０）内での高速相対動作に対する稼動妨害のいかなる可能性と共に緩い配線部分を無くしている。保持されたのは、より耐久性のある接触とよい外観である。
【００３８】
図３、４Aと４B全部を参照する、スタートモータ（５６）への動的電力サプライの構造は、後に記述される。バッテリ（１６）を保持するハンドル（１４）には、ジャイロ球体（１２）内のモータ（５６）への電力を開閉するようにバッテリ自体をユニークに抱合するスイッチ部がある。電力ハンドル（１４）は、AAサイズのバッテリをぴったりと受け入れる内径の固定内部管（６６）を包含する。
【００３９】
エクササイズ装置（１０）は、電源サプライコンジット（１０１）と通信する電源サプライ（１６）とコンダクタ部（８４）を包含する。電源サプライコンジット（１０１）は、外部管状導電部分（１０２）と内部管状絶縁体（１０４）と、絶縁体（１０４）に挿入され、コンダクタ部（８４）の接点（８６）の底部の一つへバッテリ（１６）の反対極ターミナルの一つに接続する上部（１０８）と底部（１１０）の両方で突出するピン型中心コンダクタ（１０４）を包含する。コンダクタ部（４８）が歳差運動軸（A）に合わせて回転し、電源サプライ（１６）との連続電気接続が維持されるように適応するので、動的電力供給が確立される。
【００４０】
底部接点（１１０）は、外部導電部分（１１２）から絶縁体（１０４）で絶縁される構成部（８４）の上部接点（８６）の上で構成された開口部（９０）を通過するので、中心コンダクタ（１０６）は、コンダクタ（１０６）の上部部分（１０８）に強制的につけられる時に実例となるバッテリ（１６）の正極（１１２）のみに接続する。図４Aは、バッテリ（１６）が停止状態で接続が切れた時の位置を示し、図４Bは同じバッテリ（１６）が起動している状態を示す。提示された特許によると、ハンドル（１４）は、内部のフレーム管（１１４）を絶縁する、フォームの便利な形状のグリップ或いは他の弾力素材を包含する。フレーム管（１１４）は、導電性の金属製が望ましい。導電管（１１４）を活用し、プッシュスイッチアッセンブリ（１１６）は、使用者の指により電源供給を開閉するためにバッテリ列（１６）の反対極ターミナルに取付けられている。
【００４１】
管状ハンドル（１４）に使用されるのが非導電素材の場合に備えて、ハンドル（１４）内に独立金属片を挿入し望む長さに沿って部分的に導電にする事もある。
【００４２】
バッテリ（１６）と一時的電気接続を得るために、スイッチアッセンブリ（１１６）には、プラスティックに似た絶縁素材のネジ山付蓋部（１２０）上に保持された上部金属ピン（１１８）を含む独自のプッシュ／プル機構がある。蓋部（１２０）には、蓋部（１２０）の内外に伸びた中央ガイド（１２４）内で摺動自在に保持する間に自由に通過する金属ピン（１１８）を通った上部開口部（１２２）がある。蓋部（１２０）内の中央ガイド（１２４）の部分は、電源供給コンジット（１０１）に異物や液体が入るのを防ぐ。反転円錐金属バネ（１２６）は、蓋部（１２０）の底部表面に取付けられている。円錐バネ（１２６）の底部末梢直径は、決定されており、フレーム管（１１４）内で蓋（１２０）が所定の場所にきつく締められている時に金属フレーム管（１１４）の内部壁に軽く押し付けられている。そして、Cリング（１２８）はバネ（１２６）を所定の場所に固定する。
【００４３】
管（１１４）側で、対応するネジ山は、そこの壁に直接形成されるか、フレーム管（１１４）内で形成された最上部孔（１３０）に接着された別個のプラスティックスリーブ（１２８）に形成される。そのため、金属プッシュピン（１１８）は通常は、バッテリ（１６）の末端ターミナルに接触するように突出する。しかしながら、反作用金属バネ（１３２）は、バッテリ（１６）をその絶縁側で保持するようにフレーム管（１１４）の底に位置している。近接バネ（１３２）の拡張力は決定されており、エクササイズ装置（１０）のハンドル（１４）がバネ（１３２）と共に地球の中心に向かい直接に下向きに方向付けられている時に、それは近接バネ（１２６）のバイアスに加えてAAサイズのバッテリ２つの重量に適切に対抗する。
【００４４】
丁度蓋バネ（１２６）が常時バッテリターミナルに接触しているように、近接バネ（１３２）は電源供給コンジット（１０１）内の管状導電部分（１０２）に電気的に接触する。自体のバイアスのため、バネ（１３２）は、近接バッテリターミナル（この場合は正極）とバイアス突出ピン（１１８）経由の末端バッテリターミナルからの電力線を通常は切るバネ（１３２）かバッテリ（１６）とバネ（１２６）とフレーム管（１１４）とバネ（１３２）と導電部分（１０２）と接点（８２）の底部からモータ（５６）の両ターミナルそして接点（８６）の上部と中央コンダクタ（１０６）経由で反対のバッテリターミナルに戻るものを押し離す。
【００４５】
そのため、図４Bで示されるようにバネ（１３２）の抵抗に対してピン（１１８）を押す時、駆動し回転するモータ（５６）と固定電源サプライ（１６）の間にはエネルギー流がある。
【００４６】
電源サプライ（１６）はまた、充電式バッテリでも可能で（例としてニッケルカドミウム或いはニッケル水素バッテリ）、発電機としても機能するモータ（５６）とロータ（２８）の回転により再充電されるのが望ましい。したがって、電源サプライ（１６）は、モータ（５６）に電力を供給し、使用者が装置（１０）を使用すると再充電される。そこに示されていないが、反対のハンドル（１４）に電源サプライを置く事も出来る。もう一つの方法として、電源供給コンジット（１０１）を取付けないハンドル（１４）は単純に新品のバッテリの収納としても使える。
【００４７】
使用の際は、電源サプライ（１６）は、ローター（２８）の回転を起こすモータ（５６）に電力を供給する。ロータ（２８）は、稼動角運動速度で回転するので、使用者はハンドル（１４）を回転し始める事により得られたロータ（２８）の歳差運動を維持する事が出来る。段階は以下の用に要約される。
【００４８】
第一に、使用者はスイッチ（１１６）を起動し、電源サプライ（１６）がモータ（５６）に電力を供給する。図解された実施形態では、使用者はバッテリ（１６）が中央コンダクタ（１０６）に接触するようにピン（１１８）を押す。ピン（１１８）が押されている間、電源サプライ（１６）はモータ（５６）にエネルギーを供給する。使用者がピン（１１８）を押さえるのを止めた時に、バネ（１２６）と（１３２）の間でのバイアス均衡の下で外側向きの位置に戻り、電源サプライ（１６）は接触コンダクタ（１０６）に接触するので、電流はバッテリ（１６）からモータ（５６）へ流れない。
【００４９】
一つの実施形態で、スイッチ（１１６）は、ロータ（２８）が既定角運動速度に達するまでモータ（５６）へ電源サプライ（１６）がエネルギーを供給するようにする。スイッチ（１１６）は、手動スイッチか自動スイッチ（例：電気制御器）となる。例として、使用者は、モータ（５６）を起動サイクルへ駆動する電源サプライ（１６）からの電流を流す、電気制御器の形式でスイッチ（１１６）を起動する事が出来る。起動サイクルの後、ロータ（２８）は、稼動角運動速度に達する。電気制御器（１１６）は、速度センサのようなフィードバック装置から信号を受取り、電源サプライ（１６）からモータ（５６）へのエネルギーの流れを止める。
【００５０】
第二ステップでは、エクササイズ装置は、軸（３２）の回転を開始するエネルギーをモータ（５６）が使用する時に、起動サイクルを開始する。電源サプライ（１６）は、軸（３２）の角運動速度を増加する事によりロータ（２８）の角運動速度の増加するためにモータ（５６）へ電力を供給する。ロータ（２８）の角運動速度は、使用者がエクササイズ装置（１０）を使用出来るようにロータ（２８）が稼動角運動速度で回転している時が望ましいとされる起動サイクルの最後まで増加する。
【００５１】
第三ステップでは、ロータ（２８）は、稼動角運動速度に達する。ロータ（２８）が稼動角運動速度で回転した後に、使用者は電源サプライ（１６）からモータ（５６）への電力流を解除出来る。ロータ（２８）は、使用者が両手でハンドル（１４）を握れる、軸（３２）に合わせて回転を持続する。
【００５２】
第四ステップでは、軸（３２）に合わせてロータ（２８）が回転している間に使用者はロータ（２８）の歳差運動を起こすジャイロ動作が中で起きる装置（１０）手動で動かす。ロータ（２８０の歳差運動は、抵抗とトルクと使用者に提供する。使用者は、エクササイズ装置（１０）を旋回出来るので、適切な継続した負荷か多様な負荷を感じる事が出来る。例として、使用者は、円錐状の軌道でハンドル（１４）をローイングしてエクササイズ装置（１０）の回転を始める事が出来る。ローイングの軌道は、曲線軌道か一般的円軌道か楕円軌道のような環状軌道になる。さらに、ロータ（２８）は軸（A）にあわせて歳差運動をする。
【００５３】
使用者が回転軸（５５）と軸（A）（歳差運動軸）に垂直モーメントを適用した時にロータ（２８）は歳差運動をするので、使用者はロータ（２８）の歳差運動を起こす一般的ロッキング動作を使用する事が出来る。図解された実施形態の中で、軸（A）は、案内溝軌道（３６）を通過する平面に対して垂直である。従って、回転軸（５５）と歳差運動軸（A）は垂直である。使用者が上記の動作をすると、使用者が回転軸（５５）と歳差運動軸に垂直な軸にモーメントを適用するため、リング案内軸円盤（５４）とロータ（２８）は歳差軸（A）に合わせて回転を始める。従って、ロータ（２８）は、回転軸（５５）が軸（A）に対して垂直平面で回転する間に回転軸（５５）に合わせて回転する。ロータ（２８）が歳差運動を行う間、軸円盤（５４）は案内溝軌道（３６）に合わせてスライドする。したがって、ロータ（２８）が回転軸（５５）に合わせて回転している間が好ましく、シャフト軸（３２）とロータ（２８）と円盤（５４）とモータ（５６）の全てが一緒に軸（A）に合わせて回転する。使用者の動作により、回転軸（５５）に合わせたロータ（２８）の角運動速度とロータ（２８）の歳差運動速度を増加、減少或いは維持する事が出来る。
【００５４】
エクササイズ装置（１０）は、多様な方法での負荷と循環器のトレーニングに使用出来る。使用者は、ロータ（２８）の重心位置を同じに維持する間にエクササイズ装置（１０）を回転させる事によりエクササイズが行える。もう一つの方法として、使用者は、二頭筋や三頭筋や三角筋のような多様な筋肉をトレーニングするように、エクササイズ装置（１０）を同時に平行移動と回転させる事により、装置（１０）でエクササイズが行える。使用者は、二頭筋カールを行う時に装置（１０）を回転させる事が出来る。使用者は、多様な筋肉に希望の負荷を与えるように違った動作を行う事が出来る。使用者身体の左右の筋肉は、時間効率の良いトレーニングのために同時にエクササイズが行える。例として、ロータ（２８）の歳差運動を起こすよう使用者がエクササイズ装置（１０）を回転させる間、使用者は二頭筋カールが行える。使用者への負荷は、例としてハンドル（１４）の半径或いは、又は速度の多様化により、多様化出来る。もちろん、ロータ（２８）の慣性は、負荷の変化により多様化する。例として、使用者への負荷は、ロータ（２８）により重い素材を使用するか、ロータ（２８）の慣性のモーメントを増加する事により増加する事が出来る。
【００５５】
使用者は、脚を動かす事なくエクササイズ装置（１０）を回転させて負荷と循環器のトレーニングを行える。例として、エクササイズ装置（１０）は、使用者が座った姿勢かベッドに寝た状態でも使用出来る。エクササイズ装置（１０）でのトレーニングは、使用者は身体の違った筋肉を使用する事によりスムースな回転動作を維持出来るので長時間のトレーニングが可能である。（例：背筋、三角筋、胸筋、二頭筋、三頭筋）さらに、装置（１０）は、大部分の屋内環境で使用出来るので、使用者は、ランニングやウオーキングのように屋外環境に左右される事なくトレーニングを行える。エクササイズ装置（１０）は多様な大筋群を同時にエクササイズする事が出来るので、使用者は力強い負荷と循環器のエクササイズを得る事が出来る。
【００５６】
図６と７を一緒に参照すると、提示された発明の第三実施形態によるジャイロエクササイズ装置（２００）は、エクササイズ装置のスタート補助に純粋な手動操作を好む使用者のために単に電気スタータシステムを単一プルスタータ（２０１）に交換することにより大幅に単純化した第一実施形態のジャイロエクササイズ装置（１０）全体を説明する。
【００５７】
エクササイズ装置（２００）は、歳差現象を提供する同時回転軸が２つあるコアロータ（２２８）のジャイロ動作を維持するように適応されたフレーム（２６）内のエクササイズ装置（１０）と実質的に同じ構造である。ロータ（２２８）は、２本の反対に位置する軸を取除いた固形球体の中間部の形状に金属を鋳造したものである。ロータ（２２８）には、歳差運動ロータ（２２８）の球体境界を僅かに超える反対方向へ伸びる軸（３２）を内部で受けるための外部保持中央スリーブ（２３０）がある。軸（３２）は、ジャイロ球体（１２）のなかで自由回転するロータ（２２８）の合わせた２本の軸の一つとなる。軸（３２）の両端からの同心回転先端（３４）は、軸（３２）の中心部分から直径を急激に減少させて、伸びている。先端（３４）はそして、ロータ（２２８）稼動の間に先端（３４）を摺動自在に導くためにフレーム（２６）の中での案内溝軌道（３６）への高速相対運動による最小可能摩擦に影響する丸くスムースな末端（３５）を提供するために直径を緩やかに減少させている。
【００５８】
加えて、ロータ（２２８）には、図７で示されるその末端表面からグリップスリーブ（２３０）に伸びる、深い中間溝（２３２）がある。他の方法として、ロータ（２２８）は、共通軸（３２）によりネジ山が切られた二つの背中合わせのロータ部分から作られ、間でグリップスリーブ（２３０）により間隔をあけられている。スリーブ（２３０）には、プル線（２０４）の対応部分が積極的に連動するように鋸歯状表面がある。図８で拡大されているように、プル線（２０４）は、鋼鉄ワイヤ芯（２３４）と数列の鋸歯（２３６）を含む曲線表面のプラスティック表皮の混成で、プルスタート前の荷重操作の間にエクササイズ装置（２００）の多様内部表面に沿ってグライドするためのスライド先端（２３８）がある。鋼鉄芯（２３４）は編ワイヤか、弾力のある単体ロッドである。他の方法として、高耐久プラスティックを、早くかつ繰り返す軸のプルに耐える場合には、プルスタータ（２０１）全体を単体鋳型成型で使う事もある。
【００５９】
プル線（２０４）のスライド先端（２３４）の反対の端には、線（２０４）を引く補助指の位置を容易にするためのハンドル（２４０）を通す指穴（２４２）と２サイドフック（２４６）がある、スタータハンドル（２４０）がある。ハンドル（２４０）は、トレーニングの間安全な位置にスタータハンドル（２４０）を保管するハンガーとして二倍になる。固形止め具（２４８）は、指穴（２４２）の下でスタータハンドル（２４０）がハンドル（１４）内のフレーム管（１１４）の中に入らぬよう制限し、エクササイズ装置ハンドル（１４）の上でスタータハンドル（２４０）の便利な高さを維持する。
【００６０】
プル線（２０４）は、上方のいずれか一つのハンドル（１４）内の環状空間（２５０）を通過し、ハンドル空間（２５０）と揃ったアーチ（２２）の穴（２５２）を通過し、中部溝（２３２）の中心に位置したロータ（２２８）のグリップスリーブ（２３０）と軸方向にブロックした通過穴（２５２）の通過に充分な弾力性を持つ。そして、従って線（２０４）を通過ルートから離れた方向へ伸びるよう押すので、頂点（２５４）へ導く出口側のハンドル（１４）のシェル（２０）の皮膜内部表面、通過穴（２５２）と直接に一致した反対通過穴（２５６）、そして最後に下方ハンドル（１４）内の環状空間（２５８）に達する。ロータ（２２８）のグリップスリーブ（２３０）に対するプル線（２０４）の牽引部（２６０）の強制偏向は、ジャイロエクササイズ装置（２００）の必要歳差運動開始の結果となるロータを回転させる２つの効果的部分の間で自動的グリップ力を生み出す。
【００６１】
プル線（２０４）は、牽引部分（２６０）をスタータハンドル（２４０）に接続するために、その末端側で牽引部分（２６０）と非牽引部分（２６２）に分割される。非牽引部分（２６２）には、スムースな円周表面がある。プルスタータ（２０１）の長さは決定されているので、完全に挿入されている時のスリップ先端（２３８）は、出口側ハンドル（１４）の一番端近くに位置する。ロータ（２２８）に適切なプルを提供するために、プル線（２０４）の牽引部分（２６０）の長さは決定されるので、グリップスリーブ（２３０）は、牽引部分（２６０）に対して最低２回周回する。これは通常は、グリップスリーブ（２３０）の半径による出口側ハンドル先端に短いか越すプル線（２０４）のスリップ先端（２３８）に位置する。
【００６２】
ジャイロ球体（１２）内へのスタータ（２０１）の事故的引き込みを防ぐため、非牽引部分（２６２）は、ハンドル先端（１２０）とグリップスリーブ（２３０）間の距離よりも僅かに長い長さで伸びている。同時に、線（２０４）は、図８で示される方向鋸歯延長によりグリップスリーブ（２３０）と共に歯止めを掛ける。
【００６３】
したがって、プル線（２０４）は、使用者が意図的にロータ（２２８）を推進しない限り、ジャイロ球体（１２）内の可動パーツとの空転接触を維持するよう制限する。プル線（２０４）が、ロータ（２２８）のグリップスリーブ（２３０）と注意深く再連動している場合は、固体ストップ（２４８）は、手の損傷を防ぐためにハンドル先端（１２０）の端に隣接している。
【００６４】
手動スタータ（２０１）は、過酷なエクササイズ環境での耐久性の高いエクササイズ装置を提供するために、付加や維持する可動パーツ数の最小化というプラスを加える。
【００６５】
図９と１０は、エクササイズ装置ハンドル（１４）内の保管用内臓固定装置付の手動プルスタータ（３０１）がある、発明によるエクササイズ装置の第四実施形態の側面を示している。プルスタータ（３０１）は、反対ハンドル（１４）各々の内部ハンドル先端（３２０）にある内向ネジ山（３４９）に合わせてネジ山が切られた固体ストップ（３２０）を持つ事以外はスタータ（２０１）と同じである。エクササイズ装置（２００）の保管については、プルスタータ（３０１）は容易に両ハンドル（１４）からエクササイズ装置内へ入れて、総合エクササイズ装置（２００）を固定ハンガーか開口部上に保持するように、そこにねじ込む。
【００６６】
エクササイズ装置（２００）をスタートするには、最初にプルスタータ（３０１）を解除し、スタータハンドル（３４０）を保持して引っ張る動作をする。
【００６７】
どのようにして図６のスタータ（２０１）に類似したプルスタータ（３０１）が、エクササイズ装置（３００）のアーチ（２２）へ基部端の近くで接続されたフレーム管（１１４）内で形成された孔（２５１）を斜めに通過する管状空間（２５０）内へ導入されるか、図１１が提示された発明の第五実施形態によるエクササイズ装置（３００）で図解する。孔（２５１）は、角度が付いており、プル線（２０４）をアーチ（２２）の通過穴（２５２）を自由に通過するようにガイドする。
【００６８】
孔（２５１）は、スタート活動の最後にプル線（２０４）の退出を容易にするよう幅の広い内部開口を作るためにフレーム管（１１４）の横を通してドリルで空けられた複数孔によりなる。スタータ（３０１）をグリップスリーブ（２３０）に近づける事は、エクササイズ装置（３００）をうまくスタートさせるためと同じ牽引力を提供してプル線（２０４）の全体長を減少させる。ハンドルグリップ（１４）には、ジャイロ球体（１２）内へのプル線（２０４）のスリップ先端（２３８）の進入を容易にする幅広い外部開口に対応した開口部（２５３）がある。使用者に便利な両手利き仕様を提供するために、同じ開口部のセットが反対のハンドル（１４）にある。
【００６９】
図１２は、いかにして手動プルスタータが端加工されたストリング（４０１）で、図７のロータ（２８）に似たロータ（４２８）のシャフトに合わせて巻かれているかという、提示された発明の第六実施形態によるエクササイズ装置（４００）のスタート機構の更なる単純化を示す。ストリング（４０１）は、編まれたかよられた糸である。線維かプラスティックの糸は、良いストリング（４０１）を作る許容範囲にある。ストリング（４０１）のロータ（４２８）との一時的スロット接続は、小さなプラスティックか金属のキャップ（５３８）で端を補強されたストリング（４０１）と図１３に部分的に示されるように解放可能にストリングを保持するためにグリップスリーブ（５３０）に孔（５３９）のドリル加工により作られる。
【００７０】
図１２のロータ（４２８）は、巻きを開始するためにストリング（４０１）の先端（４３８）を捉える固定表面のあるグリップスリーブ（４３０）があり、同じくストリング（４０１）が引抜かれた時に綺麗に離れるようにする。グリップスリーブ（４３０）は、ストリング（４０１）の先端（４３８）が金属成分で加工されているので帯磁させられるので、ロータ（４２８）内の接点を探る事から使用者を解放するために互いに距離があっても引き合う。
【００７１】
他の方法として、ストリング（４０１）とグリップスリーブ（４３０）の間の一時的固定は、スリーブ（４３０）がフックとループ部の一つと重ねられ、ストリング（４０１）がロープかフック部と一致するエリアを持つようにその先端（４３８）を加工されている場合に、フックとループ式接続が提供される。
【００７２】
ストリング（４０１）の先端には、ループ（４４２）を便利な位置に維持する止め具であると同様に使用者に単純なハンドルを提供する結び目（４４２）がある。スタート時にストリング（４０１）を完全に引いた際に、ストリング素材の高柔軟性のおかげで保管のためにエクササイズ装置ハンドル（１４）の周りに容易に巻くこと出来る。
【００７３】
加えて、ジャイロ球体（１２）のシェル（２０）は、使用者が両方向に露出したロータ（３２８）を押すことによりストリング（４０１）が巻けるように、各外・内部リング部（３８、４４）に近い開口部（４２０）へのアクセスを提供するように改良されている。スリーブ（４３０）での数回の巻きと共に、使用者は、ジャイロエクササイズを始めるためにロータ（４２８）の初期高速回転を始めるようにストリング（４０１）を素早く引く。
【００７４】
開口部（４２０）は、エクササイズ中に事故で指が触れないように両方のハンドル（１４）から充分な距離がとられている。さらに、開口部（４２０）は、ジャイロ球体（１２）内部への不必要アクセスを制限するためにアーチ（２２）の同じ側面にある。エクササイズ装置（４００）の使用中にあらゆる可能障害から開口部側を避ける事により、完全な安全が確保される。
【００７５】
そのため、ジャイロ装置の現在の好ましい形状が表示と説明されており、幾つかの改良が議論されているが、この芸術に熟練した人物はすぐに、以下の特許請求の範囲により定義と差異化されたように、発明の初心から離れる事なく多様な追加と改良がなされる事を感謝するであろう。
【００７６】
例として、ハンドル（１４）にストラップでペダルアタッチメントを付加ると、エクササイズ装置（１０）は脚の筋肉の増強に適合するよう脚での使用が可能である。使用者が平面に座るか寝ている場合、使用者はロータを電動か手動でスタートし、そして自転車動作に続くようにエクササイズ装置を足のエリアに移動する事が出来る。
【図面の簡単な説明】
【００７７】
類似した参照番号は、添付した図面全体を通して機構に対応して表示されている。
【図１】側面に位置したロータと円盤と共に提示された特許の第一実施形態に沿ったジャイロ総合エクササイズ装置の部分的縦面図である。
【図２】提示された特許でのエクササイズ装置可動部分の断面の上面図で、ロータに取付けられた軸円盤の正面を示すものである。
【図３】図１の中の軸側からの図で、提示された特許によるスタートモータの電気接続を示すものである。
【図４Ａ】提示された特許での押式スイッチが上げられた通常位置内での電気接続機構の拡大図である。
【図４Ｂ】提示された特許で、電源を供給するためにスイッチが押されてスタートモータをオンにし電気接続機構が作動している時の拡大図である。
【図５】提示された特許での第二実施形態による、ジャイロ球体の内部でのジャイロ動作の分解透視図である。
【図６】スタートモータの単一プルスタータへの交換を示す図３の特許の基礎実施形態に類似した、提示された特許での第三実施形態のエクササイズ装置の側面部分的断面図である。
【図７】図６と類似した、正面を向いた軸とハンドルに対して９０度回転したロータとプルスタータの図である。
【図８】図６のCにおいて円で囲まれたプルスタータの端のスライド端と中心補強部周りの横方向鋸歯状部の詳細を示す拡大図である。
【図９】エクササイズ装置内に収容された安全装置内臓の手動式プルスタータがある、特許によるエクササイズ装置の第四実施形態の部分的断面図である。
【図１０】図９に類似した、正面向きのハンドル軸に対して９０度に合わせたロータとプルスタータの図である。
【図１１】手動プルスタータの位置と形状の改良を示す、提示された特許の図６での第三実施形態に類似した、第五実施形態でもエクササイズ装置の側面部分的断面図である。
【図１２】提示された特許の第六実施形態でのエクササイズ装置で、いかにして手動式プルスタータがロータのシャフトに合わせて巻き及び巻き戻しをするかの側面部分的断面図である。
【図１３】ストリングとロータの間の一時的スロット接続があるロータの改良グリップスリーブの側面図である。
【図１】
2008237897.tif 000003
【図２】
2008237897.tif 000004
【図３】
2008237897.tif 000005
【図４Ａ】
2008237897.tif 000006
【図４Ｂ】
2008237897.tif 000007
【図５】
2008237897.tif 000008
【図６】
2008237897.tif 000009
【図７】
2008237897.tif 000010
【図８】
2008237897.tif 000011
【図９】
2008237897.tif 000012
【図１０】
2008237897.tif 000013
【図１１】
2008237897.tif 000014
【図１２】
2008237897.tif 000015
【図１３】
2008237897.tif 000016